(57)【特許請求の範囲】
【請求項１】
ディスク状記録媒体を記録及び／又は再生するディスクドライブ装置を電子機器のシャーシにねじ止めするディスクドライブ装置の取付装置において、
上記ディスクドライブ装置に取り付けられた金属の取付用フレームの左右両側部に垂直状取付面と該垂直状取付面の下端から互いに対向する水平方向へ屈曲された水平状取付面が形成され、
上記ディスクドライブ装置を上記取付用フレームの左右一対の水平状取付面によって電子機器の左右一対の水平状シャーシ上に乗せて、該左右一対の水平状取付面を該左右一対の水平状シャーシに下方から複数のねじによって固定する上乗せ方式と、上記ディスクドライブ装置を上記取付用フレームの左右一対の垂直状取付面によって電子機器の左右一対の垂直状シャーシ間に挿入して、該左右一対の垂直状取付面を該左右一対の垂直状シャーシに横方向から複数のねじによって固定する左右両側からの挟み付ける方式との２通りの取り付け方式が選択可能に構成され、
ねじ立てされていない丸穴が上記取付用フレームの垂直状取付面と水平状取付面にそれぞれ複数形成され、
上記ディスクドライブ装置の上記取け用フレームの上記左右一対の水平状取付面によって上記電子機器の左右一対の水平状シャーシ上に乗せて下方からねじ止めする上乗せ方式を選択する際には、複数のタッピンねじをこれら水平状シャーシの複数のねじ挿通穴に下方から挿入して、上記取付用フレームの水平状取付面に形成されている上記複数の丸穴内をねじ立てしながら締結するように構成し、
上記ディスクドライブ装置の上記取付用フレームの上記左右一対の垂直状取付面によって上記電子機器の左右一対の垂直状シャーシ間に挿入して横方向からねじ止めする左右両側からの挟み付ける方式を選択する際には、複数のタッピンねじをこれら垂直状シャーシの複数のねじ挿通穴に横方向から挿入して、上記取付用フレームの垂直状取付面に形成されている上記複数の丸穴内をねじ立てしながら締結するように構成し、
その際、上記取付用フレームの少なくとも垂直状取付面に形成される上記丸穴の数を上記電子機器の少なくとも垂直状シャーシに形成されている上記ねじ挿通穴の数よりも多く設定して、上記ディスクドライブ装置の上記取付用フレームを少なくとも上記電子機器の左右一対の垂直状シャーシ間に挿入して横方向からねじ止めする左右両側からの挟み付ける方式を選択する際には、これら垂直状シャーシの複数のねじ挿通穴に水平方向から挿入した上記複数のタッピンねじを上記取付用フレームの垂直状取付面に形成されている上記複数の丸穴のうちの任意の位置の丸穴内に選択的に挿入してこれらの丸穴内をねじ立てしながら締結するように構成し、
上記複数のタッピンねじを上記ディスクドライブ装置に設けたねじ保持部に着脱可能に保持させたことを特徴とするディスクドライブ装置の取付装置。
【請求項２】
上記ディスクドライブ装置のプリント基板の端部に形成した複数のねじ保持穴によって上記ねじ保持部を形成し、上記複数のタッピンねじを上記複数のねじ保持穴内に着脱可能に捩じ込んで保持させたことを特徴とする請求項１記載のディスクドライブ装置の取付装置。
【請求項３】
上記複数のねじ保持穴の一部を上記プリント基板の端部に開放させる複数のすり割を形成したことを特徴とする請求項２記載のディスクドライブ装置の取付装置。
【請求項４】
上記ディスクドライブ装置のカバーの一部に形成したねじ保持凹部によって上記ねじ保持部を形成し、上記複数のタッピンねじを上記ねじ保持凹部内に挿入して上から接着テープで着脱可能に接着したことを特徴とする請求項１記載のディスクドライブ装置の取付装置。
【請求項５】
上記接着テープの接着代に一部が重複する凹みを上記カバーに形成したことを特徴とする請求項４記載のディスクドライブ装置の取付装置。
【発明の詳細な説明】
【０００１】
【産業上の利用分野】
本発明は、例えば３．５インチのフロッピーディスクを用いるフロッピーディスクドライブ装置等のディスクドライブ装置をパソコンやワープロ等の電子機器のシャーシにねじ止めするためのディスクドライブ装置の取付装置に関するものである。
【０００２】
【従来の技術】
従来から、図８〜図１１に示すように、３．５インチのフロッピーディスクを記録、再生するフロッピーディスクドライブ装置であるディスクドライブ装置１は、板金やアルミダイキャスト等にて形成されたシャーシであるディスクドライブ装置本体２の上部、左右両側及び後部を板金等で形成されたカバー３で覆い、合成樹脂等で形成されたフロントパネル４にディスク挿入口５やイジェクト釦６を設けている。
【０００３】
そして、ディスク状記録媒体である３．５インチのフロッピーディスク７が収納されたディスクカセット８をディスク挿入口５からディスクドライブ装置本体２の内部に挿入して、フロッピーディスク７をディスクテーブル上に装着して回転駆動しながら、上下一対の磁気ヘッド（何れも図示せず）によってフロッピーディスク７の記録、再生を行うように構成されている。
【０００４】
そして、従来からこのディスクドライブ装置１は、図８〜図１１に示す取付装置１１によって、電子機器のシャーシに取り付けられている。
【０００５】
即ち、ディスクドライブ装置の底部であるディスクドライブ装置本体２の底面２ａの中央部に沿ってディスクテーブルや磁気ヘッドを駆動するスピンドルモータやステッピングモータ（何れも図示せず）を駆動する駆動回路等が実装されたプリント基板１３を複数のねじ１４によって下方からねじ止めすると共に、その底面２ａの左右両側縁に沿って左右一対の取付用フレーム１５を複数のねじ１６によって平行状にねじ止めしている。
【０００６】
そして、これら左右一対の取付用フレーム１５は板金にて形成されていて、これら左右一対の取付用フレーム１５には、下面１５ａに各一対、合計４個の垂直方向のめねじ穴１７が形成され、左右両側面１５ｂに各３個、合計６個の水平方向のめねじ穴１８が形成されている。
【０００７】
なお、これら全部で１０個のめねじ穴１７、１８は、取付用フレーム１５にバーリング加工によって丸穴であるねじ下穴を形成した後、そのねじ下穴の内周にねじタップを用いてねじ立て（めねじを切ること）を行ったものである。
【０００８】
そして、カスタマー（顧客）が購入したディスクドライブ装置を、手持ちのパソコンやワープロ等の電子機器（ホスト側）のシャーシにねじ止めする際には、４本のおねじ１９を用いるが、その際、電子機器のシャーシの種類に応じて、左右一対の取付用フレーム１５に予め形成されている全部で１０個のめねじ穴１７、１８のうちの何れか４個を選ぶことができるようになされている。
【０００９】
即ち、図１０に示す電子機器の左右一対のシャーシ２０はいわゆる上乗せ方式のシャーシであり、これら左右一対のシャーシ２０の上部に左右一対の取付用フレーム１５を乗せて、４本のおねじ１９をシャーシ２０に形成されている垂直方向の４個のねじ挿通穴２１を通して垂直方向の４個のめねじ穴１７内に下方からねじ止め（捩じ込んで締めつけること）するようにしたものである。
【００１０】
また、図１１に示す電子機器の左右一対のシャーシ２２は、いわゆる左右両側から挟み付ける方式のシャーシであり、これら左右一対のシャーシ２２の間に左右一対の取付用フレーム１５を挿入し、４本のおねじ１９を左右一対のシャーシ２２に形成されている水平方向の４個のねじ挿通穴２３を通して左右各３個、合計６個のうちの４個を選んで、その４個のめねじ穴１８内に横方向からねじ止め（捩じ込んで締めつけること）するようにしたものである。
【００１１】
以上のように、ディスクドライブ装置１をホスト側にねじ止めする際、通常４本のおねじ１９を用いるが、その際、カスタマーが取付場所を選択できるようにするために、左右一対の取付用フレーム１９に１０個のめねじ穴１７、１８を用意したものである。
【００１２】
【発明が解決しようとする課題】
しかし、めねじ穴１７、１８を加工するためには、前述したように、バーリング加工したねじ下穴の内周にネジタップを用いてねじ立てを行わなければならず、加工が面倒であり、１０個もの数多くのめねじ穴１７、１８を加工する必要があることから、製造コストが著しく高くつく。
【００１３】
しかも、１０個のめねじ穴１７、１８のうち、実際に使用されるのは４個のみであり、残りの６個は実際には使用されないことから、不必要な６個のめねじ穴を余分に加工しておくことになり、著しく不合理である。
【００１４】
更に、ねじ下穴の内周にネジタップを用いてねじ立てを行う際には、多量の潤滑油を使用しなければならず、使用後の潤滑油の廃棄による地球の環境汚染の問題もあり、決して好ましいものではない。
【００１５】
本発明は、上記の問題を解決するためになされたものであって、カスタマーが購入したディスクドライブ装置を手持ちの電子機器ねじ止めする際に、電子機器の種類に応じて最適なねじ止め方法を個々に選択しながら迅速に行なうことができ、しかも、製造メーカの製造コストを大幅に削減することができるようにしたディスクドライブ装置の取付装置を提供することを目的としている。
【００１６】
【課題を解決するための手段】
上記の目的を達成するための本発明のディスクドライブ装置の取付装置は、ディスク状記録媒体を記録及び／又は再生するディスクドライブ装置を電子機器のシャーシにねじ止めするディスクドライブ装置の取付装置において、上記ディスクドライブ装置に取り付けられた金属の取付用フレームの左右両側部に垂直状取付面と該垂直状取付面の下端から互いに対向する水平方向へ屈曲された水平状取付面が形成され、上記ディスクドライブ装置を上記取付用フレームの左右一対の水平状取付面によって電子機器の左右一対の水平状シャーシ上に乗せて、該左右一対の水平状取付面を該左右一対の水平状シャーシに下方から複数のねじによって固定する上乗せ方式と、上記ディスクドライブ装置を上記取付用フレームの左右一対の垂直状取付面によって電子機器の左右一対の垂直状シャーシ間に挿入して、該左右一対の垂直状取付面を該左右一対の垂直状シャーシに横方向から複数のねじによって固定する左右両側からの挟み付ける方式との２通りの取り付け方式が選択可能に構成され、ねじ立てされていない丸穴が上記取付用フレームの垂直状取付面と水平状取付面にそれぞれ複数形成され、上記ディスクドライブ装置の上記取付用フレームの上記左右一対の水平状取付面によって上記電子機器の左右一対の水平状シャーシ上に乗せて下方からねじ止めする上乗せ方式を選択する際には、複数のタッピンねじをこれら水平状シャーシの複数のねじ挿通穴に下方から挿入して、上記取付用フレームの水平状取付面に形成されている上記複数の丸穴内をねじ立てしながら締結するように構成し、上記ディスクドライブ装置の上記取付用フレームの上記左右一対の垂直状取付面によって上記電子機器の左右一対の垂直状シャーシ間に挿入して横方向からねじ止めする左右両側からの挟み付ける方式を選択する際には、複数のタッピンねじをこれら垂直状シャーシの複数のねじ挿通穴に横方向から挿入して、上記取付用フレームの垂直状取付面に形成されている上記複数の丸穴内をねじ立てしながら締結するように構成し、その際、上記取付用フレームの少なくとも垂直状取付面に形成される上記丸穴の数を上記電子機器の少なくとも垂直状シャーシに形成されている上記ねじ挿通穴の数よりも多く設定して、上記ディスクドライブ装置の上記取付用フレームを少なくとも上記電子機器の左右一対の垂直状シャーシ間に挿入して横方向からねじ止めする左右両側からの挟み付ける方式を選択する際には、これら垂直状シャーシの複数のねじ挿通穴に水平方向から挿入した上記複数のタッピンねじを上記取付用フレームの垂直状取付面に形成されている上記複数の丸穴のうちの任意の位置の丸穴内に選択的に挿入してこれらの丸穴内をねじ立てしながら締結するように構成し、上記複数のタッピンねじを上記ディスクドライブ装置に設けたねじ保持部に着脱可能に保持させたものである。
【００１７】
【作用】
上記のように構成された本発明のディスクドライブ装置の取付装置は、以下の３つの特徴を有している。
第１の特徴、ディスクドライブ装置に取り付けられた金属の取付用フレームの左右両側部に垂直状取付面と該垂直状取付面の下端から互いに対向する水平方向へ屈曲された水平状取付面が形成されていて、カスタマー（顧客）が、購入したディスクドライブ装置を手持ちの電子機器の左右一対のシャーシ間にねじ止めする際に、ディスクドライブ装置を取付用フレームの左右一対の水平状取付面によって電子機器の左右一対の水平状シャーシ上に乗せて、該左右一対の水平状取付面を該左右一対の水平状シャーシに下方から複数のねじによって固定する上乗せ方式と、ディスクドライブ装置を取付用フレームの左右一対の垂直状取付面によって電子機器の左右一対の垂直状シャーシ間に挿入して、該左右一対の垂直状取付面を該左右一対の垂直状シャーシに横方向から複数のねじによって固定する左右両側からの挟み付ける方式との２通りの取り付け方式のうちから、カスタマーの手持ちの電子機器の種類に応じて最適な取り付け方法をカスタマーが個々に選択することができる。
第２の特徴、ディスクドライブ装置の左右一対の水平状取付面及び垂直状取付面にそれぞれ形成されているねじ止め用の複数の穴は、ねじ立てされていない丸穴であって、カスタマーが上乗せ方式を選択して、左右一対の水平状シャシーに下方から挿入した複数のねじを左右一対の水平状取付面に固定（ねじ止め）する際や、カスタマーが左右からの挟み付ける方式を選択して、左右一対の垂直状シャーシに横方向から挿入した複数のねじを左右一対の水平状取付面に固定（ねじ止め）する際の何れの場合でも、カスタマーは複数のタッピングねじを左右一対の水平状シャーシ及び垂直状シャーシの複数のねじ挿通穴から挿入して、ディスクドライブ装置の左右一対の水平状取付面及び垂直状取付面のそれぞれ複数のねじ立てされていない丸穴内にそれぞれねじ立てしながら締結するものである。
第３の特徴、製造メーカは、ねじ立てされていない単なる丸穴をディスクドライブ装置の金属の取付用フレームの左右一対の垂直状取付面と水平状取付面とに複数加工しておくだけで良く、製造メーカが取付用フレームの左右一対の垂直状取面と水平状取付面とに複数のめねじ穴（バーリング加工によって下穴を加工した後に、その下穴の内周にねじタップを用いてねじ立てした穴）をいちいち加工する必要がない。
第４の特徴、ディスクドライブ装置の取付用フレームの少なくとも垂直状取付面に形成される丸穴の数を電子機器の少なくとも垂直状シャーシに形成されているねじ挿通穴の数よりも多く設定してあるので、ディスクドライブ装置の取付用フレームを少なくとも電子機器の左右一対の垂直状シャーシ間に挿入して横方向からねじ止めする左右からの挟み付ける方式を選択する際には、カスタマーは手持ちの電子機器の左右一対の垂直状シャーシのねじ挿通穴の位置に合った丸穴を選択して、複数のタッピングねじによる締結を行うことができ、カスタマーの手持ちの電子機器の種類（ねじ挿通穴の位置が異なること）に応じた最適なねじ止めをカスタマーが個々に選択することができる。
第５の特徴、カスタマーが個々に、ディスクドライブ装置を電子機器の種類に応じて上乗せ方式と左右からの挟み付ける方式との何れかを選択して手持ちの電子機器にねじ止めする作業を行う際には、ディスクドライブ装置のねじ保持部に予め保持されている備え付けの複数のタッピンねじを即座に取り外して使用することができる。
【００１８】
【実施例】
以下、本発明を適用したディスクドライブ装置の取付装置の実施例を図１〜図７を参照して説明する。なお、図８〜図１１と同一構造部には同一の符号を付して説明の重複を省く。
【００１９】
まず、図１〜図３に示すように、本発明のディスクドライブ装置１の取付装置１１は、左右一対の取付用フレーム１５の水平状取付面である下面１５ａ及び垂直状取付面である左右両側面１５ｂに形成されていた従来の合計１０個のめねじ穴１７、１８を、全て、ねじ立てが施されていないねじ下穴である単なる丸穴２７、２８に形成したものである。
【００２０】
なお、このようにねじ立てが施されていない単なる丸穴２７、２８は左右一対の取付用フレーム１５のバーリング加工によって簡単に加工することができ、従来のようにねじ立てを行ったねじ穴１７、１８に比べて加工コストを大幅に下げることができる。
【００２１】
次に、図４及び図５に示し、図６及び図７に示すように、本発明のディスクドライブ装置１の取付装置１１は、左右一対の取付用フレーム１５の丸穴２７、２８内をねじ立て（セルフタッピングすること）することができる４個のタッピンねじ２９をねじ保持部３０に着脱自在に保持させている。
【００２２】
即ち、図４及び図５に示すねじ保持部３０は、プリント基板１３のコネクター３１、３２等が取り付けられている後側である端部１３ａの内側に沿って形成した４個のねじ保持穴３３によって形成したものである。なお、これら各ねじ保持穴３３の後端側がプリント基板１３の端部１３ａにそれぞれすり割３４によって開放されている。なお、図４に示す３５は磁気ヘッド駆動用のステッピングモータを示している。、
【００２３】
そして、４本のタッピンねじ２９を４個のねじ保持穴３３内に捩じ込むことによって、これら４本のタッピンねじ２９をねじ保持部３０に着脱可能に保持させたものである。
【００２４】
この際、各ねじ保持穴３３の一部をプリント基板１３の端部１３ａに開放させるすり割３４を設けたことにより、各ねじ保持穴３３の直径を各タッピンねじ２９の直径より僅かに小さく形成して、各タッピンねじ２９を各ねじ保持穴３３内に捩じ込む際に、各ねじ保持穴３３を弾性に抗して矢印ａ方向に押し広げるようにすることができる。
【００２５】
この結果、各ねじ保持穴３３内に捩じ込まれた各タッピンねじ２９を各ねじ保持穴３３の矢印ｂ方向の弾性復元力によって弾性的に確実に保持することができて、ディスクドライブ装置１の輸送中の振動等によって各タッピンねじ２９が各ねじ保持穴３３内から不測に脱落することを未然に防止することができる。
【００２６】
なお、各タッピンねじ２９を各ねじ保持穴３３内から取り外す際には、各タッピンねじ２９を捩じ込み方向の逆方向に回転すれば良く、そのタッピンねじ２９の取り外しは簡単である。
【００２７】
次に、図６及び図７に示すねじ保持部３０は、板金等で形成されたカバー３の一部に絞り加工等によってねじ保持凹部３７を形成し、４本のタッピンねじ２９をこのねじ保持凹部３７内に挿入して上から接着テープ３８によって着脱可能に接着したものである。
【００２８】
なお、接着テープ３８を剥せば、４本のタッピンねじ２９をねじ保持凹部３７内からワンタッチで簡単に取り外すことができる。
【００２９】
この際、接着テープ３８の接着代に一部が重複するような浅い凹み３９をカバー３に形成してあり、その凹み３９内に手指の爪等を挿入して接着テープ３８を一端３８ａから簡単に剥すことができ、タッピンねじ２９の取り外しをより一層簡単に行える。
【００３０】
そして、本発明のディスクドライブ装置１は、上記のように、４本のタッピンねじ２９をねじ保持部３０に着脱可能に保持させた状態で販売する。
【００３１】
従って、カスタマーが購入したディスクドライブ装置１をパソコンやワープロ等の電子機器（ホスト側）のシャーシにねじ止めする際には、ねじ保持部３０に保持されている備え付けの４本のタッピンねじ２９をねじ保持部３０から即座に取り外して使用することができる。
【００３２】
この際、図２に示す電子機器の左右一対のシャーシ２０は、いわゆる上乗せ方式のシャーシであり、これら左右一対のシャーシ２０の上部にディスクドライブ装置１の左右一対の取付用フレーム１５を乗せて、４本のタッピンねじ２９を左右一対のシャーシ２０に形成されている垂直方向の４個のねじ挿通穴２１を通して垂直方向の４個の丸穴２７内に垂直方向である下方から捩じ込むことにより、これらの丸穴２７内にタッピンねじ２９でねじ立て（セルフタッピングすること）しながら、同時に、これらのタッピンねじ２９によって左右一対の取付用フレーム１５をシャーシ２０上にねじ止め（捩じ込んで締めつけること）することができる。
【００３３】
次に、図３に示す電子機器の左右一対のシャーシ２２は、いわゆる左右両側から挟み付ける方式のシャーシであり、これらのシャーシ２２の間に左右一対の取付用フレーム１５を挿入し、４本のタッピンねじ２９を左右一対のシャーシ２２に形成されている水平方向のねじ挿通穴２３を通して左右一対の取付用フレーム１５の左右各３個、合計６個の丸穴２８のうちの４個を選んで、その４個の丸穴２８内に水平方向である横方向から捩じ込むことにより、これらの丸穴２８内にタッピンねじ２９でねじ立て（セルフタッピングすること）しながら、同時に、これらのタッピンねじ２９によって左右一対の取付用フレーム１５をシャーシ２２間にねじ止め（捩じ込んで締めつけること）することができる。
【００３４】
以上、本発明の実施例に付き述べたが、本発明は上記の実施例に限定されることなく、本発明の技術的思想に基づいて各種の変更が可能である。
例えば、本発明はフロッピーディスクドライブ装置の取付装置に限定されることなく、その他の各種のディスクドライブ装置の取付装置に適用可能である。
【００３５】
【発明の効果】
以上のように構成された本発明のディスクドライブ装置の取付装置は次のような効果を奏する。
【００３６】
請求項１は、ディスクドライブ装置に取り付けられた金属の取付用フレームの左右両側部に垂直状取付面と該垂直状取付面の下端から互いに対向する水平方向へ屈曲された水平状取付面が形成されていて、カスタマー（顧客）が、購入したディスクドライブ装置を手持ちの電子機器の左右一対のシャーシ間にねじ止めする際に、ディスクドライブ装置を取付用フレームの左右一対の水平状取付面によって電子機器の左右一対の水平状シャーシ上に乗せて、該左右一対の水平状取付面を該左右一対の水平状シャーシに下方から複数のねじによって固定する上乗せ方式と、ディスクドライブ装置を取付用フレームの左右一対の垂直状取付面によって電子機器の左右一対の垂直状シャーシ間に挿入して、該左右一対の垂直状取付面を該左右一対の垂直状シャーシに横方向から複数のねじによって固定する左右両側からの挟み付ける方式との２通りの取り付け方式のうちから、カスタマーの手持ちの電子機器の種類に応じて最適な取り付け方法をカスタマーが個々に選択することができるので（第１の特徴）、カスタマーが手持ちの電子機器に応じた２種類の取り付け方式を選択することができる。従って、カスタマーにとって高い汎用性が得られる。
【００３７】
請求項１は、ディスクドライブ装置の左右一対の水平状取付面及び垂直状取付面にそれ形成されているねじ止め用の複数の穴は、ねじ立てされていない丸穴であって、カスタマーが上乗せ方式を選択して、左右一対の水平状シャシーに下方から挿入した複数のねじを左右一対の水平状取付面に固定（ねじ止め）する際や、カスタマーが左右からの挟み付ける方式を選択して、左右一対の垂直状シャーシに横方向から挿入した複数のねじを左右一対の水平状取付面に固定（ねじ止め）する際の何れの場合でも、カスタマーは複数のタッピングねじを左右一対の水平状シャーシ及び垂直状シャーシの複数のねじ挿通穴から挿入して、ディスクドライブ装置の左右一対の水平状取付面及び垂直状取付面のそれぞれ複数のねじ立てされていない丸穴内にそれぞれねじ立てしながら締結する（第２の特徴）ので、製造メーカは、ねじ立てされていない単なる丸穴をディスクドライブ装置の金属の取付用フレームの左右一対の垂直状取付面と水平状取付面とに複数加工しておくだけで良く、製造メーカが取付用フレームの垂直状取面と水平状取付面とに複数のめねじ穴（バーリング加工によって下穴を加工した後に、その下穴の内周にねじタップを用いてねじ立てした穴）をいちいち加工する必要が全くない（第３の特徴）ので、製造コストを大幅に削減でき、低価額のディスクドライブ装置を販売することができる上に、取付フレームに多数のめねじ穴をねじ立てする際に使用する多量の潤滑油の廃棄による地球の環境汚染の問題も全く発生しない。
【００３８】
請求項１は、ディスクドライブ装置の取付用フレームの少なくとも垂直状取付面に形成される丸穴の数を電子機器の少なくとも垂直状シャーシに形成されているねじ挿通穴の数よりも多く設定してあるので、ディスクドライブ装置の取付用フレームを少なくとも電子機器の左右一対の垂直状シャーシ間に挿入して横方向からねじ止めする左右からの挟み付ける方式を選択する際には、カスタマーは手持ちの電子機器の左右一対の垂直状シャーシのねじ挿通穴の位置に合った丸穴を選択して、複数のタッピングねじによる締結を行うことができ、カスタマーの手持ちの電子機器の種類（ねじ挿通穴の位置が異なること）に応じた最適なねじ止めをカスタマーが個々に選択することができる（第４の特徴）ので、カスタマーにとって高い汎用性が得られる。
その上、カスタマーが個々に、ディスクドライブ装置を電子機器の種類に応じて上乗せ方式と左右からの挟み付ける方式の何れかを選択して手持ちの電子機器にねじ止めする作業を行う際には、ディスクドライブ装置のねじ保持部に予め保持されている備え付けの複数のタッピンねじを即座に取り外して使用することができる（第５の特徴）ので、カスタマーが購入したディスクドライブ装置をパソコンやワープロ等の電子機器（ホスト側）のシャーシにねじ止めする取付作業を迅速に行える。
【００３９】
請求項２は、上記ディスクドライブ装置のプリント基板の端部に形成した複数のねじ保持穴によって上記ねじ保持部を形成し、上記複数のタッピンねじを上記複数のねじ保持穴内に着脱可能に捩じ込んで保持させたので、ねじ保持部の加工が容易である。
【００４０】
請求項３は、上記複数のねじ保持穴の一部を上記プリント基板の端部に開放させる複数のすり割を形成したので、タッピンねじをねじ保持穴内に弾性的に確実に保持することができて、輸送中の振動等によるタッピンねじの脱落を未然に防止できる。
【００４１】
請求項４は、上記ディスクドライブ装置のカバーの一部に形成したねじ保持凹部によって上記ねじ保持部を形成し、上記複数のタッピンねじを上記ねじ保持凹部内に挿入して上から接着テープで着脱可能に接着したので、ねじ保持部へのタッピンねじの取り付けを簡単に行える。
【００４２】
請求項５は、上記接着テープの接着代に一部が重複する凹みを上記カバーに形成したので、タッピンねじをねじ保持部から取り外す際、凹みに手指の爪等を挿入して接着テープを容易に剥すことができるので、タッピンねじの取り外しを容易に行える。
【図面の簡単な説明】
【図１】本発明を適用したディスクドライブ装置の取付装置の実施例における要部の構成を説明する断面図である。
【図２】同上のディスクドライブ装置の電子機器のシャーシへのねじ止め方法の第１例を説明する断面図である。
【図３】同上のディスクドライブ装置の電子機器のシャーシへのねじ止め方法の第２例を説明する断面図である。
【図４】同上のディスクドライブ装置のねじ保持部の第１例を示す斜視図である。
【図５】図５の（Ａ）は図４の要部の拡大一部切欠き平面図であり、図５の（Ｂ）は図５のＡ−Ａ矢視での断面図である。
【図６】同上のディスクドライブ装置のねじ保持部の第２例を示す斜視図である。
【図７】図７の（Ａ）は図６の要部の拡大平面図であり、図７の（Ｂ）は図７の（Ａ）のＢ−Ｂ矢視での断面図である。
【図８】従来のディスクドライブ装置の取付装置を説明する斜視図である。
【図９】従来のディスクドライブ装置の取付装置の要部の構成を説明する断面図である。
【図１０】従来のディスクドライブ装置の電子機器のシャーシへのねじ止め方法の第１例を説明する断面図である。
【図１１】従来のディスクドライブ装置の電子機器のシャーシへのねじ止め方法の第２例を説明する断面図である。
【符号の説明】
１      ディスクドライブ装置
２      ディスクドライブ装置の本体
３      ディスクドライブ装置のカバー
８      フロッピーディスク（ディスク状記録媒体）
１１    取付装置
１２    プリント基板
１２ａ  プリント基板の端部
１５    取付用フレーム
１５ａ 取付用フレームの水平状取付面である下面
１５ｂ 取付用フレームの垂直状取付面である側面
２０    電子機器の水平状シャーシ
２２ 電子機器の垂直状シャーシ 
２７、２８  丸穴
２９    タッピンねじ
３０    ねじ保持部
３３    ねじ保持穴
３４    ねじ保持穴のすり割
３７    ねじ保持凹部
３８    接着テープ
３９    カバーの凹み
【図１】
0003702471.tif 000002
【図２】
0003702471.tif 000003
【図３】
0003702471.tif 000004
【図４】
0003702471.tif 000005
【図５】
0003702471.tif 000006
【図６】
0003702471.tif 000007
【図７】
0003702471.tif 000008
【図８】
0003702471.tif 000009
【図９】
0003702471.tif 000010
【図１０】
0003702471.tif 000011
【図１１】
0003702471.tif 000012